(57)【要約】  本発明は二つ以上のディスプレイ、回路と部品を収容および支持するパネルハウジングを有する携帯用表示装置に関する。パネルハウジングは、パネルハウジングが広げられるとディスプレイの少なくとも一辺が隣接されるように、パネルハウジングの一つの側面を切り欠いて切欠き部を形成する。本発明の携帯用表示装置は一つの大画面を構成し、隣接したディスプレイの間の繋ぎ目上の非表示領域を最小化する。
2008501143.tif 000002
【特許請求の範囲】
【請求項１】
二つ以上のディスプレイ、
前記ディスプレイと、回路と部品とを収容および支持する二つ以上に折り畳まれ得るパネルハウジング
からなり、
前記パネルハウジングが開かれたときにディスプレイの少なくとも一辺が隣接されるように、パネルハウジングの一つの側面が切り欠かれた切欠き部が形成されてなる
ことを特徴とする携帯用表示装置。
【請求項２】
前記ディスプレイが隣接されるようにするパネルハウジングの切欠き部が連結繋ぎ部である請求項１記載の携帯用表示装置。
【請求項３】
前記切欠き部が開口である場合、前記開口を塞ぐ保護手段が備えられる請求項２記載の携帯用表示装置。
【請求項４】
前記ディスプレイがさらに光学手段を含み、前記光学手段は繋ぎ目部を減らすためにディスプレイの繋ぎ目部の内に備えられる請求項１記載の携帯用表示装置。
【請求項５】
前記ディスプレイがさらにディスプレイを支持する支持部材を含み、前記支持部材に連結繋ぎ部が備えられる請求項１記載の携帯用表示装置。
【請求項６】
前記支持部材の連結繋ぎ部がパネルハウジングの繋ぎ目部に装着される請求項５記載の携帯用表示装置。
【請求項７】
前記ディスプレイがシャシーに装着され、前記シャシーに連結繋ぎ部が備えられる請求項１記載の携帯用表示装置。
【請求項８】
前記シャシーの繋ぎ目部はディスプレイの側面のみが覆われてなる請求項７記載の携帯用表示装置。
【請求項９】
前記シャシーの連結繋ぎ部はパネルハウジングの繋ぎ目部に装着される請求項７記載の携帯用表示装置。
【請求項１０】
全体画像データ信号を分割してディスプレイに駆動信号を送る請求項１記載の携帯用表示装置。
【請求項１１】
二つ以上のディスプレイ、前記ディスプレイと、回路と部品を収容および支持する二つ以上に折り畳まれ得るパネルハウジングとが備えられ、前記パネルハウジングが広げられるとディスプレイの少なくとも一辺が隣接されるように、パネルハウジングの一つの側面が切り欠かれて切欠き部が形成され、かつディスプレイがディスプレイパネルと回路とを含み、前記ディスプレイパネルに選択信号とデータ信号を供給する外部電極が前記ディスプレイパネルの一辺のみに形成されることを特徴とする携帯用表示装置。
【請求項１２】
前記ディスプレイパネルに形成された外部電極が、パネルハウジングにディスプレイが装着されるとき、パネルハウジングの開口とか連結繋ぎ部に装着される請求項１１記載の携帯用表示装置。
【請求項１３】
前記ディスプレイパネルを支持部材またはシャシーに装着するとき、前記ディスプレイパネルの外部電極がシャシーまたは支持部材の連結繋ぎ部に装着される請求項１１記載の携帯用表示装置。
【発明の詳細な説明】
【技術分野】
【０００１】
本発明は二つ以上のディスプレイを用いて一つの大画面を構成する携帯用表示装置に関し、特にディスプレイを広げるとディスプレイの上端に備わった光学手段が互いに隣接して、互いに隣接したディスプレイの間の繋ぎ目上の非表示領域を最小化する携帯用表示装置に関する。
【背景技術】
【０００２】
通常、二つ以上のディスプレイを用いて一つの大画面を構成する方法は大型表示装置に適用して用いられている。最近、移動情報装置において無線インターネット機能が付加されることによって、大画面の必要性が増加された。しかし、携帯用表示装置で大画面は移動などの携帯的な特性を生かさないので、折り畳み式携帯用表示装置が提案された。
【０００３】
一般に携帯用表示装置にはＬＣＤ(Liquid crystal Display)、ＴＦＴ(Thin film Transistor)−ＬＣＤ、ＦＥＤ(Field Emission Display)、ＰＤＰ(Plasma Display Panel)、ＥＬ(Electro Luminescent)、電子ペーパー(electronic paper)などの平板ディスプレイが用いられる。
【０００４】
マルチディスプレイを採用した携帯用表示装置で携帯性を高めるために折り畳み式ディスプレイが提案された。しかし、従来の折り畳み式ディスプレイはディスプレイを装着したパネルハウジングを広げる場合、ディスプレイが有効に相互隣接にならない。さらに、固定部材やシャシーを折り畳み式ディスプレイに合わせて設計しなければならないという問題点がある。
【発明の開示】
【発明が解決しようとする課題】
【０００５】
従って、本発明は前記のような従来技術の問題点を解消するために創案するものである。
【０００６】
本発明の目的は、ディスプレイを収容および支持する二つ以上に折り畳まれ得るパネルハウジングが、広げた位置でディスプレイが互いに隣接されて一つの画面を構成する折り畳み式携帯用表示装置を提供することにある。
【課題を解決するための手段】
【０００７】
前記目的を実現するために、本発明は、二つ以上のディスプレイ、前記ディスプレイと、回路と部品を収容および支持する二つ以上に折り畳まれ得るパネルハウジングが備えられ、前記パネルハウジングが広げられるとディスプレイの少なくとも一辺が隣接されるように、パネルハウジングの一つの側面が切り欠かれて切欠き部が形成されたことを特徴とする携帯用表示装置を提供する。
【０００８】
前記ディスプレイが隣接されるようにするパネルハウジングの切欠き部が連結繋ぎ部であり、前記切欠き部が開口である場合、前記開口を塞ぐ保護手段が備えられる。
【０００９】
前記ディスプレイはさらに光学手段を含み、前記光学手段は繋ぎ目部を減らすためにディスプレイの繋ぎ目部の内に備えられる。
【００１０】
前記ディスプレイはさらにディスプレイを支持する支持部材を含むことができ、前記支持部材に連結繋ぎ部が備えられる。
【００１１】
前記ディスプレイがシャシーに装着されるとき、前記シャシーに連結繋ぎ部が備えられて、前記シャシーの繋ぎ目部はディスプレイの側面のみが覆われて、パネルハウジングの繋ぎ目部に装着される。
【００１２】
一方、全体画像データ信号を分割してディスプレイに駆動信号を送ることが好ましい。
【００１３】
他の実施態様によると、本発明のまた、二つ以上のディスプレイ、前記ディスプレイと、回路と部品とを収容および支持する二つ以上に折り畳まれ得るパネルハウジングが備えられ、前記パネルハウジングが広げられるとディスプレイの少なくとも一辺が隣接されるように、パネルハウジングの一つの側面が切り欠かれて切欠き部を形成し、そして、ディスプレイがディスプレイパネルと回路を含み、前記ディスプレイパネルに選択信号とデータ信号を供給する外部電極が前記ディスプレイパネルの一辺のみに形成されることを特徴とする携帯用表示装置を提供する。
【００１４】
前記ディスプレイパネルに形成された外部電極は、パネルハウジングにディスプレイが装着されるとき、パネルハウジングの開口とか連結繋ぎ部に装着されることが好ましい。
【００１５】
前記ディスプレイパネルを支持部材またはシャシーに装着するときには、前記ディスプレイパネルの外部電極はシャシーまたは支持部材の連結繋ぎ部に装着されることが好ましい。
【発明の効果】
【００１６】
本発明は二つ以上のディスプレイの間の非表示領域としての繋ぎ目を最小化して大画面を実現する折り畳み式携帯用表示装置を提供する。
【００１７】
本発明によると、非表示領域である繋ぎ目部を光学手段によって補償し、駆動信号を分割して二つのディスプレイで一つの画面を構成することができる。
【発明を実施するための最良の形態】
【００１８】
以下、本発明の好ましい実施例を添付した図面を参照して説明する。
【００１９】
本発明は少なくとも二つ以上の平板ディスプレイを相互連結して一つの画面を実現できる折り畳み式携帯用表示装置を提供する。平板ディスプレイとしてはＬＣＤ(Liquid crystal Display)、ＴＦＴ(Thin film Transistor)−ＬＣＤ、ＦＥＤ(Field Emission Display)、ＰＤＰ(Plasma Display Panel)、ＥＬ(Electro Luminescent)、電子ペーパー(electronic paper)などを用いることができる。
【００２０】
少なくとも二つ以上の平板ディスプレイを相互隣接して一つの画面を形成するために、ディスプレイの少なくとも一つの側面は互いに接触したり、少なくとも４ｍｍ以内に近接され、これは、二つ以上のディスプレイが互いに連結されて一つの画面を見ることができる程度に各々のディスプレイが互いに近く配置されることを意味する。
【００２１】
本発明によると、二つ以上の平板ディスプレイが相互連結されて一つの画面を形成する。
【００２２】
図１は本発明の折り畳み式携帯用表示装置を表す図である。
【００２３】
図１に図示したように、本発明の折り畳み式携帯用表示装置は、二つのディスプレイ２、４と前記ディスプレイが装着された二つのパネルハウジング２０、４０を備えている。また、前記パネルハウジング２０、４０にはディスプレイを駆動したり装着するための回路や部品などが備えられる。
【００２４】
パネルハウジング２０、４０は折り畳まれることおよび広げられることができるように連結手段６によって連結される。本実施例では連結手段６でヒンジを使用した。
【００２５】
図２は本発明の折り畳み式携帯用表示装置が折り畳まれた状態を示す図である。
【００２６】
パネルハウジング２０、４０の隣接した側面には、ディスプレイ２、４の側面を保護するためにカバー手段１８が備えられる。
【００２７】
図３〜図５はパネルハウジングが広げられた状態を表す断面図である。
【００２８】
図３に示したように、パネルハウジング２０、４０の上端にディスプレイ２、４が備えられてパネルハウジング２０、４０が広げられて互いに密着された状態になると、ディスプレイ２、４は互いに隣接された状態になる。
【００２９】
パネルハウジング２０、４０が広げられるとき、ディスプレイ２、４が互いに隣接されるようにするために、パネルハウジング２０、４０が互いに密着される部分であるパネルハウジング２０、４０の側面の上端にディスプレイ２、４が備えられるようにする。この場合、ディスプレイ２、４が互いに隣接されるようにするためにはパネルハウジング２０、４０の側面を切り欠いて開口８ｂを形成する。前記開口８ｂは下記に説明される図１３にさらに明確に図示される。
【００３０】
したがって、パネルハウジング２０、４０が広げられるとき、パネルハウジング２０、４０の切り欠かれた側面を通じてディスプレイ２、４が互いに隣接するようになる。
【００３１】
パネルハウジング２０、４０の内部には各種回路および装置２５、４５が備えられて、ディスプレイ２、４を支える下敷き部２６、４６がまた備えられる。そして、ディスプレイ２、４の縁に覆い部２４が備えられる。一方、カバー手段１８は便宜上、図示を省略した。
【００３２】
パネルハウジングの回転中心Ａの延長線は覆い２４の表面と同一な面上にある。即ち、回転中心Ａの高さは覆いの高さと同一である。
【００３３】
図４はディスプレイ上端に保護手段を備えた実施例の図である。図の通り、覆い２４とパネルハウジング２０、４０の側面に段差２４ａ、２０ｃを備えて前記段差２４ａ、２０ｃに保護手段１４を装着するので、保護手段１４がディスプレイ２、４の側面と画面表示部であるディスプレイ２、４の前面を保護する。また、前記保護手段１４は側面を前面よりさらに薄く形成して画面非表示領域である繋ぎ目部８を最小化できる。
【００３４】
保護手段１４はディスプレイの前面を保護する前面保護手段１４ａとディスプレイの側面を保護する側面保護手段１４ｂを含む。側面保護手段１４ｂは前面保護手段１４ａより薄く形成する。そして、保護手段１４が保護フィルムのである場合、保護フィルムはできるだけ薄くしながら堅くすべきである。したがって、保護フィルムは金属膜とか金属または無機物膜をコーティングした樹脂フィルムであることが好ましい。
【００３５】
保護手段１４の下部に光学手段２７が備えられることができ、保護手段１４は光学手段２７と一体にすることができる。光学手段はマイクロプリズムとかマイクロレンズである。保護手段１４と光学手段２７が一体に形成されることは保護手段１４の下部にマイクロプリズムとかマイクロレンズが形成されることを意味する。前記保護手段は１ｍｍ未満の厚さが好ましく、より好ましくは０．５ｍｍ未満である。
【００３６】
図５はパネルハウジングの側面に連結繋ぎ部を備える表示装置の図である。
【００３７】
パネルハウジング２０、４０が広げられると、ディスプレイ２、４が互いに隣接され、この間に連結繋ぎ部２０ａ、４０ａが備えられる。従って、連結繋ぎ部２０ａ、４０ａが開口８ｂを塞ぐ。即ち、パネルハウジング２０、４０の密着される側面を切り欠いて開口８ｂまたは連結繋ぎ部２０ａ、４０ａを形成してディスプレイ２、４が互いに隣接される。
【００３８】
前記連結繋ぎ部２０ａ、４０ａはパネルハウジング２０、４０の他の部分より薄く形成され、好ましくは厚さが０．５ｍｍ以下にすることができる。
【００３９】
図３に示したように、パネルハウジング２０、４０に開口８ｂが形成されると、ディスプレイ２、４の少なくとも一つの側面が接触するようになる。そして、図４および図５のように、連結繋ぎ部２０ａ、４０ａを通じてディスプレイが隣接されると、ディスプレイ２、４は少なくとも２ｍｍまたは３ｍｍの以内に互いに近く配置されるようになる。
【００４０】
即ち、本願発明のディスプレイ２、４は一つの画面を見ることができるように互いに近く配置される。
【００４１】
図６はパネルハウジングの一部のみを折った形態の図である。
【００４２】
図６では、パネルハウジング２０、４０が一部のみに折り畳まれたとき、ディスプレイ２、４が隣接される繋ぎ目部８の間に繋ぎの隙８ａが形成される。繋ぎ目の隙８ａは非表示領域であり表示装置においては欠点になるので、前記繋ぎ目の隙８ａを小さくすればするほど良い。
【００４３】
図７および図８は繋ぎ目の隙を小さくするための実施例の図である。
【００４４】
図３および図４に示したように、パネルハウジング２０、４０の回転中心Ａを中心にパネルハウジング２０、４０の折り畳まれることおよび広げる。従って、回転中心Ａと保護手段１４または光学手段２７の間の距離が小さいほど繋ぎ目の隙８ａが小さくなる。従って、図７および図８に示したように、保護手段１４または光学手段２７は回転中心Ａから非常に小さい距離に形成される。回転中心Ａと光学手段２７または保護フィルム１４の間の直線距離は１ｍｍ以内にする。回転中心Ａと光学手段２７または保護手段１４はほぼ一致したり、０．１ｍｍ以内に少し離れた状態に形成されることができる。
【００４５】
前記直線距離は、図７のように、連結繋ぎ部２０ａが形成される場合には回転中心Ａと連結繋ぎ部２０ａの間の直線距離を意味し、図３のように、連結繋ぎ部２０ａが形成されない場合には回転中心Ａとディスプレイ２、４の間の距離とか、回転中心Ａと光学手段２７または保護手段１４の間の直線距離を意味する。
【００４６】
図９はパネルハウジングが広げられた状態を表す平面図である。
【００４７】
図では、ディスプレイ２、４の一辺が密着されるように形成されてディスプレイ繋ぎ目８を最小化されている。
【００４８】
図の円内は繋ぎ目部を拡大して表した図である。ディスプレイとパネルハウジングの間に保護手段１４または保護フィルムが備えられる。ディスプレイの画素２ｎ、４ｎが繋ぎ目部８の真横に位置する。シーリングン剤２ｆ、４ｆが画素２ｎ、４ｎの真横に備えられる。シーリング剤２ｆ、４ｆは画素２ｎから０．５ｍｍ以内に位置する。シーリング剤は０．５ｍｍ以内に形成されることが好ましい。
【００４９】
繋ぎ目部８は表示素子の非表示領域であるので、図９のとおり、非表示領域は保護フィルムとか保護手段１４およびシーリング剤２ｆ、４ｆに該当する区間になる。図では非表示領域をＢと表し、全体非表示領域はＢの二倍になっている。保護フィルムはディスプレイ２、４の側面を保護するための通常の金属フィルムや合成樹脂を使用でき、合成樹脂の保護フィルムは堅固性のために金属または無機物膜がコーティングされる。
【００５０】
そして、前記非表示領域を最小化するために、非表示領域の内側に光学手段が備えられている。
【００５１】
図１０および図１１は光学手段を表した図である。
【００５２】
図１０は光の進行経路に傾くようにする光学手段の実施例の図である。ポリアクリルとかＰＥＴなどの透明なプラスチック材質からなる光伝導体２７ａと、光伝導体２７ａに形成された光の経路を傾ける複数の反射膜２７ｂと、光学手段２７の上端に形成された光拡散板２７ｃを含む。
【００５３】
図に示されたように、光学手段２７の内に反射膜２７ｂの傾斜度は次の式（１）；
ｔａｎα＝Ａ／Ｂ
により求められる。
【００５４】
ここで、Ａはディスプレイ２から光学手段２７の表面までの距離、Ｂは図９に示したように非表示領域の厚さである。
【００５５】
また、光学手段２７がマイクロレンズなどを用いて拡大する機能をする場合には、前記Ａ値とＢ値を考慮して拡大比を定める。
【００５６】
図１１はディスプレイと光学表面までの距離を表した図である。
【００５７】
ディスプレイは上部基板２ｉと下部基板２ｊからなる。
【００５８】
図に示されたように、光がディスプレイ２、４に向かって放出されることは、ディスプレイ電極２ｈから離れることであって、ディスプレイ２から光学手段２７の表面までの距離はＡ′になる。よって、式１でＡの代わりにＡ′を置換する。
【００５９】
図１２はカバー１８を除去した表示装置を表した図である。
【００６０】
パネルハウジング２０、４０にはカバー手段１８を受納する受納空間２８が備えられる。ディスプレイ２とディスプレイ４の間に繋ぎ目の隙８ａが存在する。しかし、ディスプレイ２とディスプレイ４の間隙を非常に狭くして繋ぎ目の隙８ａがほぼ存在しないようにすることができる。
【００６１】
図１２で、ディスプレイ２、４の側面を点線で示したが、これはディスプレイ２、４の側面の露出および非露出を表している。即ち、図３の構造で、ディスプレイ２の側面が露出されたり、図５のように、連結繋ぎ部２０ａ、４０ａが存在するとディスプレイ２、４の側面は露出されない。前記カバー手段１８はパネルハウジング２０、４０が広げられるとき、ディスプレイ２、４が互いに隣接されたり密着されることを妨害しないようにパネルハウジング２０、４０の折り畳まれることおよび広げられることに連動されて動く。
【００６２】
図１３はパネルハウジングが折り畳まれた状態を表した断面図である。
【００６３】
図１３は便宜上、カバー手段１８および受納空間２８を省略した。図では、回転中心Ａから二つのディスプレイ２、４までの距離Ｌ１とＬ２は互いに同じである。また、ディスプレイ２、４が上げられるパネルハウジング２０、４０の側面の上端で回転中心Ａの間の距離Ｄ１とＤ２も互いに同じである。
【００６４】
従って、パネルハウジング２０、４０が広げられると、二つのディスプレイ２、４の一つの側面も互いに接したり、隣接するようになる。
【００６５】
ディスプレイ２、４の側面が開口８ｂを通じて外部に露出されるが、連結繋ぎ部２０ａ、４０ａによってディスプレイ２、４の側面が露出されないことがある。
【００６６】
図１４〜図１６はディスプレイが装着された支持部材を表す図である。
【００６７】
通常、ディスプレイ２にはディスプレイパネル２ａのみならず、駆動回路基板２ｂ、バックライト３０および支持部材１６０が含まれる。従って、図２〜図４の各各のディスプレイ２、４はディスプレイパネル２ａのみならず、駆動回路基板２ｂ、バックライト３０などが装着された支持部材１６０を含む。本発明ではディスプレイ２の繋ぎ目部８に相応する支持部材１６０の側面も切断されてディスプレイ２、４の間の非表示領域を最小化することができる。また、支持部材１６０にも連結繋ぎ部１６０ｅ、１６０ｆを備えて非表示領域を最小化する。
【００６８】
支持部材１６０には掛かり部１６１と掛かり孔１６１ａが備えられて、前記支持部材１６０をパネルハウジング２０、４０とかシャシー１６に装着する。このとき、支持部材１６０の連結繋ぎ部１６０ｅ、１６０ｆはパネルハウジング２０、４０の繋ぎ目部８に装着されて非表示領域が最小化されることができる。
【００６９】
図１５は支持部材の側面を完全に切り欠いて開放された形態の支持部材の連結繋ぎ部１６０ｅ、１６０ｆを表した図である。
【００７０】
図１６は支持部材の連結繋ぎ部１６０ｅ、１６０ｆを薄く形成した図である。支持部材の側面は他の部分より薄く形成され、連結繋ぎ部１６０ｅ、１６０ｆの厚さが０．３ｍｍ以内に形成される。図１６では、薄く形成されることを表すために連結繋ぎ部１６０ｅ、１６０ｆを点線で表した。
【００７１】
支持部材１６０の板１６０ａにはバックライトとディスプレイパネル２ａ、４ａが装着される。
【００７２】
図１７〜図１９はシャシーで囲まれたディスプレイを表した図である。
【００７３】
図のように、シャシー１６の内部にディスプレイパネル２ａと駆動回路基板２ｂ、２ｃが装着される。駆動回路基板は通常のフィルムタイプの印刷回路基板を使用できる。図２〜図４のディスプレイ２、４はディスプレイパネル２ａのみならず、駆動回路基板２ｂ、バックライト３０およびこれを装着するシャシー１６を意味することもできる。
【００７４】
シャシーはアルミニウムのような金属材料でディスプレイおよびディスプレイ駆動回路などを囲む構造物をいう。ここで、駆動回路基板２ｂ、２ｃはディスプレイパネル２ａの外部電極部２ｋに折り畳まれた状態にシャシー１６または支持部材１６０に装着されている。ディスプレイパネル２ａの上板２ｉと下板２ｊの各々に連結された外部電極部２ｋに駆動回路基板２ｂ、２ｃが折り畳まれるとディスプレイの大きさがさらに小さくなる。
【００７５】
図１８はシャシー１６の内部にディスプレイパネル２ａと駆動回路およびバックライト３０が備えられることを表す断面図である。そして、繋ぎ目部８に相応するシャシー１６の部分はディスプレイパネル２ａの側面のみを囲み、ディスプレイパネル２ａの上部を囲まないので、非表示領域が最小化される。
【００７６】
前記繋ぎ目部８はディスプレイ２、４が互いに隣接される部分を意味する。即ち、ディスプレイ２、４が連結されるシャシー１６の連結繋ぎ部１６ａはディスプレイの側面のみを囲む。また、非表示領域を少なくするために連結繋ぎ部１６ａをシャシーの他の部分より薄く形成することもできる。
【００７７】
シャシー１６には掛かり部が備えられてこれを通じてシャシー１６がパネルハウジング２０、４０に固定される。このとき、シャシー１６の連結繋ぎ部がパネルハウジング２０、４０の繋ぎ目部８に装着されて非表示領域が最小化される。
【００７８】
図１９は開放された形態の連結繋ぎ部を有するシャシーを表した図である。
【００７９】
ディスプレイ２、４の側面が互いに接触されたり、非常に近く近接して隣接される繋ぎ目部８の部分を切り欠いて開放形態にする。従って、図１９に示したように、連結繋ぎ部１６ａは開放された形態を有してディスプレイパネル２、４の側面がそのまま露出される。
【００８０】
図２０と図２１は二つの画面を一つの画面に駆動するための駆動回路のブロック図である。
【００８１】
第１ディスプレイパネル２ａと第２ディスプレイパネル４ａは各々第１、２ソース駆動ドライバー２ｃ、４ｃと第１、２ゲート駆動ドライバー２ｂ、４ｂに連結される。
【００８２】
表示装置から出る所定の信号はＦＰＧＡ(field programmable gate array)１００に印加される。ＦＰＧＡ１００はローデータ処理部１１０とカラムデータ処理部１４０、メモリ素子１３０およびタイミングコントローラー１２０とからなる。そして電源部２００がＦＰＧＡに連結される。
【００８３】
カラムデータ処理部１４０から出た駆動信号はソース駆動ドライバー２ｃ、４ｃに供給され、ローデータ処理部１１０から出た駆動信号はゲート駆動ドライバー２ｂ、４ｂに供給される。各々の駆動ドライバーはディスプレイパネル２ａに連結されて画面が表示されるようにする。タイミングコントローラー１２０はソース駆動ドライバーとゲート駆動ドライバーの動機信号を合わせる役割をする。
【００８４】
ソース駆動ドライバーからの信号はデータ信号ということができるし、ゲート駆動ドライバーからの信号は選択信号ということができる。
【００８５】
図２０と図２１のように、二つのディスプレイパネル２ａ、４ａを駆動するために、ディスプレイパネル２ａ、４ａの各々にソース駆動ドライバー２ｃ、４ｃとゲート駆動ドライバー２ｂ、４ｂを連結すべきである。そして、ソース駆動ドライバー２ｃ、４ｃとゲート駆動ドライバー２ｂ、４ｂに各々駆動信号を供給する。
【００８６】
図２０はディスプレイパネル２ａ、４ａにデータ信号を送る第１ソース駆動ドライバー２ｃと第２ソース駆動ドライバー４ｃに各々同一な信号を送ることを示すブロック図である。第１ゲート駆動ドライバー２ｂと第２ゲート駆動ドライバー４ｂを時分割して第１ゲートドライバー２ｂに先ず選択信号を送った後、第２ゲート駆動ドライバー４ｂに選択信号を送る。
【００８７】
なお、図２１ではディスプレイパネル２ａ、４ａに選択信号を送る第１ゲート駆動ドライバー２ｂと第２ゲート駆動ドライバー４ｂに各々同一なデータ信号を送る。従って、第１、２ソース駆動ドライバー２ｃ、４ｃに送るデータ信号を分割して各々異なって送るべきである。
【００８８】
例えば、第１、２ディスプレイパネル２ａ、４ａが各々ｎ個の電極ラインを通じてソース駆動ドライバーと連結されると、二つのディスプレイパネルが合わせられた状態で全体のデータラインは２ｎということができる。メモリ１３０装置に貯蔵された画像信号を分割して第１ラインから第ｎラインまでの分割されたデータ信号は第１ソース駆動ドライバー２ｃに送って、反面、第ｎ＋１ラインから第２ｎラインまでのデータ信号は第２ソース駆動ドライバー４ｃに送る。
【００８９】
したがって、各々のディスプレイパネル２ａ、４ａに駆動信号を送ると、ディスプレイパネル２ａ、４ａは一つの画面を構成するように駆動される。
【００９０】
一方、図２０と図２１のブロック図の駆動方法を組み合わせることができる。即ち、第１、２ソース駆動ドライバー２ｃ、４ｃに印加されるデータ信号を分割して供給することができるし、第１、２ゲート駆動ドライバー２ｂ、４ｂに印加される選択信号も時間的に分割して各々供給することができる。併せて、ゲート駆動ドライバーとソース駆動ドライバーは一つのチップで作ることができる。単に本発明では二つのディスプレイで一つの画面を表すための回路の構成要素をブロック図で表したものである。
【００９１】
図２２はディスプレイパネルの外部電極を表す図である。
【００９２】
通常、駆動ドライバーＩＣはディスプレイパネル２ａ、４ａの外部電極５１、５２、５３に連結される。図に示したように、複数の画素５０がディスプレイパネルに配置され、画素の各各の位置はｘ―ｙ座標で表す。画素を駆動するために、外部電極は四辺のディスプレイパネルの中で二辺を用いて引き出される。しかし、量産性と競争価額の製造のために、ワンチップ化した一つの駆動ドライバーＩ．Ｃを用いる場合がある。
【００９３】
図２２に示したように、ｘ方向の電極５１はディスプレイパネルの一辺から引き出され、なお、ｙ方向の電極はディスプレイパネルの対抗する二辺から分けて引き出される。そして、分けた二つの電極５２、５３は二つの連結電極５２ａ、５３ａを通じてｘ方向の外部電極が引き出された方向と同一な方向に引き出される。図で連結電極５２ａ、５３ａは便宜上一部だけ図示した。図では外部電極を拡大して円Ｃに表した。
【００９４】
外部電極をディスプレイパネル２ａ、４ａの一辺のみに引き出してデータ信号と選択信号を印加する駆動ドライバーをワンチップ化してディスプレイパネルに連結することができる。
【００９５】
このとき、データ信号と選択信号を供給する外部電極を二つのディスプレイパネル２ａ、４ａの間の繋ぎ目部８がある辺の反対側の一辺に引き出すようにするのが好ましい。
【００９６】
図２３と図２４は外部電極部が支持部材の繋ぎ目部の反対側に装着された場合の本発明の表示装置の他の実施形態を表した図である。
【００９７】
図２３は、ディスプレイパネル２ａにデータ信号と選択信号を供給する駆動ドライバーを連結するための外部電極５１、５２、５３を含む外部電極部２ｋを示す。前記外部電極部２ｋは支持部材１６０の繋ぎ目部８と反対側に装着される。ディスプレイパネル２ａの繋ぎ目部８には連結電極５２ａ、５３ａまたは外部電極５１、５２、５３が形成されないので非表示領域が最小化される。
【００９８】
外部電極部２ｋには回路連結部２ｅが連結されて駆動回路からディスプレイパネルに信号を供給する。そして、掛かり孔１６１ａが備わった掛かり部１６１を通じて支持部材１６０がパネルハウジング２０、４０とかシャシー１６に固定される。
【００９９】
回路連結部２ｅは繋ぎ目部８と反対側に備えられるようにして繋ぎ目部を最小化する。
【０１００】
一方、支持部材１６０の繋ぎ目部８にはディスプレイパネル２ａの側面が露出されるが、ディスプレイパネルとかバックライトの側面を樹脂でコーティングして保護膜を形成することができる。
【０１０１】
図２４は二つの支持部材が対称された状態を表す図である。本発明のパネルハウジング２０、４０が広げられると、ディスプレイパネル２ａ、４ａが装着された支持部材１６０が繋ぎ目８を中心とした対称になる。
【０１０２】
図に示したように、支持部材１６０の内でディスプレイパネル２ａの外部電極部２ｋが繋ぎ目部８の反対側に位置し、そして、回路連結部２ｅ、４ｅを通じてディスプレイパネル２ａは駆動回路基板４０と連結される。
【０１０３】
図２５と図２６は支持部材が装着されたシャシーを表した図である。
【０１０４】
図に示したように、シャシー１６の繋ぎ目部８は側面だけ囲んで、上部は囲まない。シャシー１６の繋ぎ目の部分の側面は他の部分よりさらに薄く形成して非表示領域を最小化することができる。
【０１０５】
また、図２６のように、シャシー１６の繋ぎ部の側面は開放されてディスプレイパネル２ａの側面が露出されることもできる。この場合には、ディスプレイパネル２ａとかバックライトの側面を樹脂でコーティングして保護膜を形成することができる。
【０１０６】
また、ディスプレイパネル２ａがシャシー１６に装着されると、図のように、データ信号と選択信号を供給する電極５１、５２、５３が備わった外部電極部２ｋがシャシー１６の繋ぎ目部８の反対側に装着される。しかし、図ではシャシー１６の上部によって外部電極部２ｋが隠されている。
【０１０７】
シャシーはシャシー掛かり部１６ｃによりパネルハウジングに装着されることができる。
【０１０８】
支持部材１６０とかシャシーの連結繋ぎ部をパネルハウジング２０、４０の開口とか連結繋ぎ部に装着すれば、外部電極部２ｋはパネルハウジング２０、４０の開口８ｂとか連結繋ぎ部２０ａ、４０ａに装着される。
【０１０９】
ディスプレイパネル２ａ、４ａがパネルハウジング２０、４０に装着すれば、支持部材１６０またはシャシー１６は使用されなくてもよい。即ち、支持部材１６０とシャシーはただディスプレイパネルと回路などをモジュール化して保護する器具である。支持部材１６０は主にプラスチック材料で作られ、シャシー１６はアルミニウムのような金属材料で作られる。
【産業上の利用可能性】
【０１１０】
以上、説明したように、本発明は二つ以上のディスプレイの間の非表示領域としての繋ぎ目を最小化して大画面を実現する折り畳み式携帯用表示装置を提供する。
【０１１１】
本発明によると、非表示領域である繋ぎ目部を光学手段によって補償し、駆動信号を分割して二つのディスプレイで一つの画面を構成することができる。
【図面の簡単な説明】
【０１１２】
【図１】本発明の折り畳み式携帯用装置を表す斜視図である。
【図２】本発明の折り畳み式携帯用装置を表す斜視図である。
【図３】本発明の折り畳み式携帯用装置のパネルハウジングが広げられた状態を表す断面図である。
【図４】本発明の折り畳み式携帯用装置のパネルハウジングが広げられた状態を表す断面図である。
【図５】本発明の折り畳み式携帯用装置のパネルハウジングが広げられた状態を表す断面図である。
【図６】パネルハウジングを一部だけ折った形態の斜視図である。
【図７】本発明のディスプレイのあいだの隙を表す斜視図である。
【図８】本発明のディスプレイのあいだの隙を表す斜視図である。
【図９】パネルハウジングが広げられた状態を表す平面図である。
【図１０】光学手段を表す図である。
【図１１】光学手段を表す図である。
【図１２】カバー手段を除去した状態を表す斜視図である。
【図１３】パネルハウジングが折り畳まれた状態を表す断面図である。
【図１４】ディスプレイが装着された支持部材を表す斜視図である。
【図１６】ディスプレイが装着された支持部材を表す斜視図である。
【図１７】シャシーで囲まれたディスプレイを表す図である
【図１９】シャシーで囲まれたディスプレイを表す図である。
【図２０】二つの画面を駆動する駆動回路のブロック図である。
【図２１】二つの画面を駆動する駆動回路のブロック図である。
【図２２】ディスプレイパネルの外部電極を表す図である。
【図２３】支持部材の繋ぎ目部の反対側に装着された外部電極部を表す斜視図である。
【図２４】支持部材の繋ぎ目部の反対側に装着された外部電極部を表す斜視図である。
【図２５】シャシーに装着された支持部材を表す斜視図である。
【図２６】シャシーに装着された支持部材を表す斜視図である。
【図１】
2008501143.tif 000003
【図２】
2008501143.tif 000004
【図３】
2008501143.tif 000005
【図４】
2008501143.tif 000006
【図５】
2008501143.tif 000007
【図６】
2008501143.tif 000008
【図７】
2008501143.tif 000009
【図８】
2008501143.tif 000010
【図９】
2008501143.tif 000011
【図１０】
2008501143.tif 000012
【図１１】
2008501143.tif 000013
【図１２】
2008501143.tif 000014
【図１３】
2008501143.tif 000015
【図１４】
2008501143.tif 000016
【図１５】
2008501143.tif 000017
【図１６】
2008501143.tif 000018
【図１７】
2008501143.tif 000019
【図１８】
2008501143.tif 000020
【図１９】
2008501143.tif 000021
【図２０】
2008501143.tif 000022
【図２１】
2008501143.tif 000023
【図２２】
2008501143.tif 000024
【図２３】
2008501143.tif 000025
【図２４】
2008501143.tif 000026
【図２５】
2008501143.tif 000027
【図２６】
2008501143.tif 000028
【国際調査報告】
2008501143.tif 000029
2008501143.tif 000030